(57)【要約】【課題】可動スクロールがスラストプレートを介して支持部材に支持されるスクロール型流体機械において、機器としての信頼性を向上させることを目的とする。【解決手段】スクロール型圧縮機（1）は、固定スクロール（22）と可動スクロール（26）とを備えている。可動スクロール（26）の可動側平板部（26a）には、外周部に凹部（72）が形成されている。凹部（72）には、スラストプレート（70）が嵌合して配置されている。可動スクロール（26）はスラストプレート（70）を介して固定スクロール（22）の周縁部（22d）に支持されている。スラストプレート（70）の片面には、固定スクロール（22）の周縁部（22d）と摺接するようにダイヤモンドライクカーボンからなるコート層（71）が形成されている。【選択図】図１
2007218206.tif 000002
【特許請求の範囲】
【請求項１】
固定側平板部（22a）の正面（22c）に渦巻き状の固定側ラップ（22b）が立設された固定スクロール（22）と、可動側平板部（26a）の正面（26c）に上記固定側ラップ（22b）と噛合する渦巻き状の可動側ラップ（26b）が立設された可動スクロール（26）とを備え、上記可動側平板部（26a）がスラストプレート（70）を介して支持部材（22d,24）に支持されているスクロール型流体機械であって、
上記スラストプレート（70）には、ダイヤモンドライクカーボンのコート層（71）が形成されている
ことを特徴とするスクロール型流体機械。
【請求項２】
請求項１において、
上記可動側平板部（26a）及び上記支持部材（22d,24）の少なくとも一方には、上記スラストプレート（70）が嵌合する凹部（72）が形成されている
ことを特徴とするスクロール型流体機械。
【請求項３】
請求項１において、
上記スラストプレート（70）は、上記可動側平板部（26a）の表面（26c,26d）及び上記支持部材（22d,24）の表面（22f,24a）のそれぞれに設けられ、
上記コート層（71）は、各スラストプレート（70）の摺接面に形成されている
ことを特徴とするスクロール型流体機械。
【請求項４】
請求項１において、
上記スラストプレート（70）は、上記可動側平板部（26a）の正面（26c）の外周部に対応する環状に形成されて可動側平板部（26a）に設けられ、
上記コート層（71）は、上記固定スクロール（22）と一体形成されて可動スクロール（26）を正面（26c）側で支持する支持部材（22d）に摺接するようにスラストプレート（70）の片面に形成されている
ことを特徴とするスクロール型流体機械。
【請求項５】
請求項１において、
上記スラストプレート（70）は、上記可動側平板部（26a）の正面（26c）全体に対応するように形成されて可動側平板部（26a）に設けられ、
上記コート層（71）は、上記固定スクロール（22）と一体形成されて可動スクロール（26）を正面（26c）側で支持する支持部材（22d）及び固定側ラップ（22b）の先端に摺接するようにスラストプレート（70）の片面に形成されている
ことを特徴とするスクロール型流体機械。
【請求項６】
請求項１において、
上記スラストプレート（70）は、上記可動側平板部（26a）の正面（26c）の外周部に対応する環状に形成されて、上記固定スクロール（22）と一体形成されて可動スクロール（26）を正面（26c）側で支持する支持部材（22d）に設けられ、
上記コート層（71）は、上記可動側平板部（26a）に摺接するようにスラストプレート（70）の片面に形成されている
ことを特徴とするスクロール型流体機械。
【請求項７】
請求項１において、
上記スラストプレート（70）は、上記可動側平板部（26a）の背面（26d）に設けられ、
上記コート層（71）は、上記可動側平板部（26a）の背面（26d）と対面して可動スクロール（26）を背面（26d）側で支持する支持部材（24）に摺接するようにスラストプレート（70）の片面に形成されている
ことを特徴とするスクロール型流体機械。
【請求項８】
請求項１において、
上記スラストプレート（70）は、上記可動側平板部（26a）の背面（26d）と対面して可動スクロール（26）を背面（26d）側で支持する支持部材（24）に設けられ、
上記コート層（71）は、上記可動側平板部（26a）と摺接するようにスラストプレート（70）の片面に形成されている
ことを特徴とするスクロール型流体機械。
【請求項９】
請求項１において、
上記スラストプレート（70）のビッカース硬度は、２４０以上である
ことを特徴とするスクロール型流体機械。
【請求項１０】
請求項１において、
上記スラストプレート（70）の板厚は、０．１ｍｍ以上かつ０．６ｍｍ以下である
ことを特徴とするスクロール型流体機械。
【発明の詳細な説明】
【技術分野】
【０００１】
本発明は、スクロール型流体機械に関するものである。
【背景技術】
【０００２】
従来より、可動スクロールと固定スクロールとが互いのラップを噛合させてなる流体室を備えたスクロール型流体機械が知られている（例えば、特許文献１）。
【０００３】
特許文献１のスクロール型流体機械は、冷媒回路に設けられて冷媒を圧縮するスクロール型圧縮機であって、ケーシング内の上方から順に、圧縮機構と該圧縮機構を駆動する駆動機構を備えている。該圧縮機構は、上方から順に固定スクロールと公転スクロール（可動スクロール）とが配置されている。また、上記圧縮機構の下方には、フレームがケーシングに固定されて配置されている。上記ケーシング内は、圧縮機構の上側が高圧空間となる一方、下方が低圧空間となる。また、上記ケーシング胴部には、下部に低圧空間に開口する吸入管が設けられ、上部に高圧空間に開口する吐出管が設けられている。上記スクロール型圧縮機では、公転スクロールの下方が低圧空間となるために、公転スクロールがフレームの方向に向かって押しつけられる。そして、該公転スクロールは、スラストプレートを介してフレーム（支持部材）に支持されている。
【０００４】
上記スクロール型圧縮機を起動すると、駆動機構により公転スクロールがスラストプレートと摺動しながら公転する。これにより、吸入管から吸入された冷媒は、低圧空間を通って圧縮機構に導入されて圧縮され、高圧空間から吐出管から吐出される。
【特許文献１】特開２００４−６０５０２号公報
【発明の開示】
【発明が解決しようとする課題】
【０００５】
しかしながら、上記スクロール型圧縮機においては、上記スラストプレートに何ら処理が施されていなかったために、公転スクロールとスラストプレートとの摺動性及び耐摩耗性が十分でないという問題点があった。
【０００６】
本発明は、かかる点に鑑みてなされたものであり、可動スクロールがスラストプレートを介して支持部材に支持されるスクロール型流体機械において、摺動性及び耐摩耗性を向上させて、機器としての信頼性を向上させることを目的とする。
【課題を解決するための手段】
【０００７】
第１の発明は、固定側平板部（22a）の正面（22c）に渦巻き状の固定側ラップ（22b）が立設された固定スクロール（22）と、可動側平板部（26a）の正面（26c）に上記固定側ラップ（22b）と噛合する渦巻き状の可動側ラップ（26b）が立設された可動スクロール（26）とを備え、上記可動側平板部（26a）がスラストプレート（70）を介して支持部材（22d,24）に支持されているスクロール型流体機械であって、上記スラストプレート（70）には、ダイヤモンドライクカーボンのコート層（71）が形成されている。
【０００８】
この第１の発明では、上記スラストプレート（70）にダイヤモンドライクカーボンのコート層（71）が形成されているので、上記スラストプレート（70）と該スラストプレート（70）がコート層（71）を介して摺接する支持部材（22d,24）又は可動スクロール（26）との摺動性及び耐摩耗性が向上する。
【０００９】
第２の発明は、第１の発明において、上記可動側平板部（26a）及び上記支持部材（22d,24）の少なくとも一方には、上記スラストプレート（70）が嵌合する凹部（72）が形成されている。
【００１０】
この第２の発明では、上記凹部（72）が形成されているので、上記スラストプレート（70）を該凹部（72）に嵌合させて安定的に支持する。
【００１１】
また、上記コート層（71）を備えたスラストプレート（70）の厚さに応じて上記凹部（72）の深さを適宜決定することにより、可動スクロール（26）の可動側ラップ（26b）の先端と固定側平板部（22a）の正面（22c）との間及び固定スクロール（22）の固定側ラップ（22b）と可動側平板部（26a）の正面（26c）との間から流体が漏れるのを防止する。例えば、固定スクロール（22）と可動スクロール（26）の間にスラストプレート（70）を設けない（凹部（72）も設けない）状態で、可動側ラップ（26b）の先端と固定側平板部（22a）の正面（22c）とが当接し且つ固定側ラップ（22b）の先端と可動側平板部（26a）の正面（26c）とが当接するスクロール型流体機械（1）において、可動側平板部（26a）の正面（26c）の外周部に凹部（72）を形成してスラストプレート（70）を設ける場合、凹部（72）の深さがスラストプレート（70）の厚みより短い場合は、各ラップ（22b,26b）と平板部（26a,22a）の正面（26c,22c）との間に隙間が形成され、流体の漏れが生じてしまう。そこで、そのような場合は、凹部（72）の深さとコート層（71）を設けたスラストプレート（70）の厚さを略同じ長さにする。
【００１２】
第３の発明は、第１の発明において、上記スラストプレート（70）は、上記可動側平板部（26a）の表面（26c,26d）及び上記支持部材（22d,24）の表面（22f,24a）のそれぞれに設けられ、上記コート層（71）は、各スラストプレート（70）の摺接面に形成されている。
【００１３】
この第３の発明では、上記各スラストプレート（70）が互いのコート層（71）を介してに摺接するので、上記各スラストプレート（70）を備えた上記可動側平板部（26a）の表面（26c,26d）と上記支持部材（22d,24）の表面（22f,24a）との摺動性及び耐摩耗性が向上する。これにより、上記可動スクロール（26）が、互いに摺動し合う２枚のスラストプレート（70）を介して支持部材（22d,24）に支持されて、円滑に回転する。
【００１４】
第４の発明は、第１の発明において、上記スラストプレート（70）は、上記可動側平板部（26a）の正面（26c）の外周部に対応する環状に形成されて可動側平板部（26a）に設けられ、上記コート層（71）は、上記固定スクロール（22）と一体形成されて可動スクロール（26）を正面（26c）側で支持する支持部材（22d）に摺接するようにスラストプレート（70）の片面に形成されている。
【００１５】
この第４の発明では、環状のスラストプレート（70）がコート層（71）を介して固定スクロール（22）と一体形成された支持部材（22d）と摺接するので、上記スラストプレート（70）と支持部材（22d）との摺動性及び耐摩耗性が向上する。これにより、上記可動スクロール（26）がスラストプレート（70）を介して支持部材（22d）に支持されて、円滑に回転する。また、スラストプレート（70）を可動スクロール（26）と固定スクロール（22）と一体形成された支持部材（22d）の間に設けているので、特に、可動スクロール（26）の背面（26d）側が高圧空間等であることにより可動スクロール（26）が固定スクロール（22）側（背面（26d）側から正面（26c）側）に向かって押圧される流体機械においては、摺動性及び耐摩耗性がより顕著に向上する。
【００１６】
第５の発明は、第１の発明において、上記スラストプレート（70）は、上記可動側平板部（26a）の正面（26c）全体に対応するように形成されて可動側平板部（26a）に設けられ、上記コート層（71）は、上記固定スクロール（22）と一体形成されて可動スクロール（26）を正面（26c）側で支持する支持部材（22d）及び固定側ラップ（22b）の先端に摺接するようにスラストプレート（70）の片面に形成されている。
【００１７】
この第５の発明では、可動側平板部（26a）の正面（26c）全体にスラストプレート（70）を設けているので、第４の発明と同様の作用をもたらすと共に、固定側ラップ（22b）の先端もコート層（71）と摺接することから、固定側ラップ（22b）と可動側平板部（26a）との摺動性及び耐摩耗性をも向上する。
【００１８】
第６の発明は、第１の発明において、上記スラストプレート（70）は、上記可動側平板部（26a）の正面（26c）の外周部に対応する環状に形成されて、上記固定スクロール（22）と一体形成されて可動スクロール（26）を正面（26c）側で支持する支持部材（22d）に設けられ、上記コート層（71）は、上記可動側平板部（26a）に摺接するようにスラストプレート（70）の片面に形成されている。
【００１９】
この第６の発明では、固定スクロール（22）と一体形成された支持部材（22d）に設けられた環状のスラストプレート（70）が、コート層（71）を介して可動側平板部（26a）と摺接するので、上記スラストプレート（70）と可動側平板部（26a）との摺動性及び耐摩耗性が向上する。これにより、上記可動スクロール（26）がスラストプレート（70）を介して支持部材（24）に支持されて円滑に回転する。また、第４の発明と同様に、可動スクロール（26）が固定スクロール（22）側に向かって押圧される流体機械等においては、摺動性及び耐摩耗性がより顕著に向上する。
【００２０】
第７の発明は、第１の発明において、上記スラストプレート（70）は、上記可動側平板部（26a）の背面（26d）に設けられ、上記コート層（71）は、上記可動側平板部（26a）の背面（26d）と対面して可動スクロール（26）を背面（26d）側で支持する支持部材（24）に摺接するようにスラストプレート（70）の片面に形成されている。
【００２１】
この第７の発明では、上記スラストプレート（70）がコート層（71）を介して上記可動スクロール（26）を背面（26d）側で支持する支持部材（24）と摺接するので、上記スラストプレート（70）と上記支持部材（24）との摺動性及び耐摩耗性が向上する。これにより、可動スクロール（26）がスラストプレート（70）を介して支持部材（24）に支持されて円滑に回転する。また、スラストプレート（70）を可動スクロール（26）の背面（26d）と上記支持部材（24）との間に設けているので、特に、可動スクロール（26）の背面（26d）側が低圧空間等であることにより可動スクロール（26）が支持部材（24）側（正面（26c）側から背面（26d）側）に向かって押圧される流体機械においては、摺動性及び耐摩耗性が著しく向上する。
【００２２】
第８の発明は、第１の発明において、上記スラストプレート（70）は、上記可動側平板部（26a）の背面（26d）と対面して可動スクロール（26）を背面（26d）側で支持する支持部材（24）に設けられ、上記コート層（71）は、上記可動側平板部（26a）と摺接するようにスラストプレート（70）の片面に形成されている。
【００２３】
この第８の発明では、上記スラストプレート（70）がコート層（71）を介して可動側平板部（26a）とが摺接するので、上記スラストプレート（70）と上記可動側平板部（26a）との摺動性及び耐摩耗性が向上する。これにより、第７の発明と同様に、可動スクロール（26）がスラストプレート（70）を介して支持部材（24）に支持されて円滑に回転する。また、可動スクロール（26）が支持部材（24）側に向かって押圧される流体機械等においては、摺動性及び耐摩耗性が著しく向上する。
【００２４】
第９の発明は、第１の発明において、上記スラストプレート（70）のビッカース硬度は、２４０以上である。
【００２５】
この第９の発明では、上記スラストプレート（70）のビッカース硬度が２４０以上であるので、該スラストプレート（70）にダイヤモンドライクカーボンからなるコート層（71）が確実に密着する。また、ここでいう該ビッカース硬度２４０以上とは、ビッカース硬さ試験（ＪＩＳ  Ｚ２２４４−１９９８による）によって測定された測定値に限られず、他の硬さ試験の測定値であって、換算するとビッカース硬度２４０以上に該当するものであればよく、具体的に、硬さ換算表（ＳＡＥ  Ｊ  ４１７による）により、ブルネル硬度（ＪＩＳ  Ｚ２２４３−１９９８によるブルネル硬さ試験の測定値）が２３０以上やロックウェル硬度（ＪＩＳ  Ｚ２２４５−１９９８によるロックウェル硬さ試験の測定値）が２０以上のものを含む意味している。
【００２６】
第１０の発明は、第１の発明において、上記スラストプレート（70）の板厚は、０．１ｍｍ以上かつ０．６ｍｍ以下である。
【００２７】
この第１０の発明では、上記スラストプレート（70）は、板圧が０．１ｍｍ以上であるので、プレートとしての適度な強度が確保されると共に、０．６ｍｍ以下であるので、可動スクロール（26）の回転による撓みに伴って撓む柔軟性を有している。これにより、可動スクロール（26）が回転しても、スラストプレート（70）が割れることがなく、かつ、可動スクロール（26）の回転に伴って安定的に回転するので、ダイヤモンドライクカーボンのコート層（71）が剥離することがない。
【発明の効果】
【００２８】
上記第１の発明によれば、上記スラストプレート（70）にダイヤモンドライクカーボンのコート層（71）を形成したために、スラストプレート（70）とコート層（71）を介して摺接する支持部材（22d,24）又は可動スクロール（26）との摺動性及び耐摩耗性を向上させることができる。これにより、可動スクロール（26）がスラストプレート（70）を介して支持部材（22d,24）に支持されて、円滑に回転することができるので、機器としての信頼性の向上を図ることができる。
【００２９】
また、上記第２の発明によれば、上記スラストプレート（70）を該凹部（72）に嵌合させて安定的に支持することができるので、可動スクロール（26）の回転中に、スラストプレート（70）の位置がずれることがないことから、可動スクロール（26）が安定的に回転し、機器としての信頼性をさらに向上させることができる。
【００３０】
また、上記コート層（71）を備えたスラストプレート（70）の厚さに応じて上記凹部（72）の深さを適宜決定することにより、可動スクロール（26）の可動側ラップ（26b）の先端と固定側平板部（22a）の正面（22c）との間及び固定スクロール（22）の固定側ラップ（22b）と可動側平板部（26a）の正面（26c）との間から流体が漏れるのを防止することができる。例えば、固定スクロール（22）と可動スクロール（26）の間にスラストプレート（70）を設けない（凹部（72）も設けない）状態で、可動側ラップ（26b）の先端と固定側平板部（22a）の正面（22c）とが当接し且つ固定側ラップ（22b）の先端と可動側平板部（26a）の正面（26c）とが当接するスクロール型流体機械（1）において、可動側平板部（26a）の正面（26c）の外周部に凹部（72）を形成してスラストプレート（70）を設ける場合、凹部（72）の深さがスラストプレート（70）の厚みより短い場合は、各ラップ（22b,26b）と平板部（26a,22a）の正面（26c,22c）との間に隙間が形成され、流体の漏れが生じてしまう。そこで、そのような場合は、凹部（72）の深さとコート層（71）を設けたスラストプレート（70）の厚さを略同じ長さにすることにより、各ラップ（22b,26b）と平板部（26a,22a）の正面（26c,22c）との間から流体が漏れることを防止することができる。
【００３１】
また、上記第３の発明によれば、上記各スラストプレート（70）の摺接面に、上記コート層（71）を形成したために、上記各スラストプレート（70）は、互いのコート層（71）同士を介して摺接し合うために、各スラストプレート（70）同士の摺動性及び耐摩耗性がより向上する。これにより、可動スクロール（26）が、互いに摺動し合う２枚のスラストプレート（70）を介して支持部材（22d,24）支持されて円滑に回転することができる。
【００３２】
また、上記第４の発明によれば、可動側平板部（26a）の正面（26c）の外周部に設けた環状のスラストプレート（70）がコート層（71）を介して固定スクロール（22）と一体形成された支持部材（22d）と摺接するので、上記スラストプレート（70）と支持部材（22d）との摺動性及び耐摩耗性が向上することから、可動側平板部（26a）が、スラストプレート（70）を介して支持部材（22d）に支持されて円滑に回転することができる。
【００３３】
また、特に、可動スクロール（26）が固定スクロール（22）側に向かって押圧される流体機械においては、摺動性及び耐摩耗性を著しく向上させることができる。
【００３４】
また、上記第５の発明によれば、可動側平板部（26a）の正面（26c）全体にスラストプレート（70）を設けたために、第４の発明の効果に加えて、上記コート層（71）が固定側ラップ（22b）と摺接して、該固定側ラップ（22b）の摺動性及び耐摩耗性をも向上させることができることから、可動スクロール（26）は、スラストプレート（70）を介して固定スクロール（22）に支持されて、より円滑に回転することができる。
【００３５】
また、上記第６の発明によれば、固定スクロール（22）と一体形成された支持部材（22d）に設けられた環状のスラストプレート（70）が、コート層（71）を介して可動側平板部（26a）と摺接するので、上記スラストプレート（70）と可動側平板部（26a）との摺動性及び耐摩耗性が向上することから、可動側平板部（26a）が、スラストプレート（70）を介して支持部材（22d）に支持されて円滑に回転する。また、第４の発明と同様に、可動スクロール（26）が固定スクロール（22）側に向かって押圧される流体機械等においては、摺動性及び耐摩耗性を著しく向上させることができる。
【００３６】
また、上記第７の発明によれば、上記スラストプレート（70）が、コート層（71）を介して可動スクロール（26）を背面（26d）側で支持する支持部材（24）と摺接するので、上記スラストプレート（70）と上記支持部材（24）との摺動性及び耐摩耗性が向上することから、可動スクロール（26）が、スラストプレート（70）を介して支持部材（24）に支持されて、円滑に回転することができる。
【００３７】
また、特に、可動スクロール（26）が支持部材（24）側に向かって押圧される流体機械においては、摺動性及び耐摩耗性を著しく向上させることができる。
【００３８】
また、上記第８の発明によれば、上記スラストプレート（70）がコート層（71）を介して上記可動側平板部（26a）と摺接するようにしたために、上記スラストプレート（70）と上記可動側平板部（26a）との摺動性及び耐摩耗性が向上するので、第７の発明と同様に、可動スクロール（26）が、スラストプレート（70）を介して支持部材（24）に支持されて、円滑に回転することができる。
【００３９】
また、上記第９の発明によれば、上記スラストプレート（70）のビッカース硬度を２４０以上としたために、該スラストプレート（70）に、ダイヤモンドライクカーボンのコート層（71）を確実に密着させることができる。これにより、可動スクロール（26）の回転により、コート層（71）が剥離して欠落することを防止することができことから、長時間安定的な運転を行うことができる。
【００４０】
また、上記第１０の発明によれば、上記スラストプレート（70）の板圧を０．１ｍｍ以上０．６ｍｍ以下としたために、スラストプレート（70）が、プレートとしての適度な強度が確保することができると共に、可動スクロール（26）の回転による撓みに伴って撓むことができる。これにより、可動スクロール（26）の回転により、スラストプレート（70）が割れることを防止することができると共に、可動スクロール（26）の回転に伴って安定的に回転することができるので、ダイヤモンドライクカーボンのコート層（71）が剥離して欠落することがないことから、長時間安定的な運転を行うことができる。
【発明を実施するための最良の形態】
【００４１】
以下、本発明の実施形態を図面に基づいて詳細に説明する。
【００４２】
《発明の実施形態１》
実施形態１は、図１に示すスクロール型圧縮機（1）である。該スクロール型圧縮機（1）は、冷凍装置において、冷媒ガスが循環して蒸気圧縮式冷凍サイクルを行う冷媒回路に設けられ、冷媒ガスを圧縮するものである。
【００４３】
図１に示すように、スクロール型圧縮機（1）は、密閉ドーム型の圧力容器により構成されたケーシング（10）を備えている。該ケーシング（10）の内部には、上方から順に、冷媒ガスを圧縮する圧縮機構（15）と、該圧縮機構（15）を駆動する圧縮機モータ（16）と、下部軸受（39）とが収容されている。上記圧縮機構（15）と圧縮機モータ（16）とは、上下方向に延びる駆動軸（17）で連結されている。
【００４４】
上記圧縮機構（15）の下部には、フレーム（24）が設けられている。該フレーム（24）は、鉄系材料から構成され、中央に溝部（31）が形成される一方、該溝部（31）の下面中央に上部軸受（32）が形成されている。上記フレーム（24）の外周面は全周に亘ってケーシング（10）の内周面と密着して接合されている。そして、ケーシング（10）の内部はフレーム（24）の下方の高圧空間（28）とフレーム（24）の上方の低圧空間（29）とに区画されている。
【００４５】
また、上記ケーシング（10）の頂部には、冷媒回路の冷媒を圧縮機構（15）に導く吸入管（19）が接合され、胴部には、ケーシング（10）内の冷媒をケーシング（10）外に吐出させる吐出管（20）が接合されている。上記吸入管（19）は、後述する圧縮機構（15）の圧縮室（40）に開口している。一方、上記吐出管（20）は、上記高圧空間（28）に開口している。
【００４６】
上記駆動軸（17）は、上記上部軸受（32）及び下部軸受（39）に回転自在に支持されている。該駆動軸（17）の上端には、偏心部（18）が形成されている。該偏心部（18）は、駆動軸（17）の軸心から所定量偏心している。一方、駆動軸（17）の下端には、ケーシング（10）の底部に溜まった冷凍機油を汲み上げる給油ポンプ（49）が設けられている。該給油ポンプ（49）は、駆動軸（17）の上下方向に貫通形成された給油路（51）を経由して冷凍機油を圧縮機構（15）の各摺動部などに供給する。
【００４７】
上記圧縮機構（15）は、鉄系材料からなる固定スクロール（22）と可動スクロール（26）とを備えている。上記固定スクロール（22）は、固定側平板部（22a）と固定側ラップ（22b）と周縁部（22d）と吐出孔（45）とを備えている。固定側平板部（22a）は円板状に形成されている。上記固定側ラップ（22b）は、該固定側平板部（22a）の正面（22c）の中央に渦巻き状に立設される一方、上記吐出孔（45）は、上記固定側平板部（22a）の固定側ラップ（22b）の中心部を貫通することにより形成されている。また、上記周縁部（22d）は、固定側平板部（22a）の正面（22c）の外周部から立設して設けられ環状に形成されている。一方、可動スクロール（26）は、可動側平板部（26a）と可動側ラップ（26b）とを備えている。該可動側平板部（26a）は円板状に形成されている。上記可動側ラップ（26b）は、該可動側平板部（26a）の正面（26c）の中心部に上記固定スクロール（22）の固定側ラップ（22b）と噛合する渦巻き状に立設されている。そして、圧縮機構（15）では、上記各平板部（22a,26a）及び各ラップ（22b,26b）との間に圧縮室（40）が区画形成される。
【００４８】
上記固定スクロール（22）は、周縁部（22d）が、上記フレーム（24）に締結されている。つまり、固定スクロール（22）は、フレーム（24）を介してケーシング（10）に固定されている。また、該固定スクロール（22）の固定側平板部（22a）には、背面側に凸部（22e）が形成され、該凸部（22e）を介してカバー部材（41）が設けられている。これにより、上記固定側平板部（22a）とカバー部材（41）との間には、第１吐出通路（42）が形成されている。また、上記周縁部（22d）には、第２吐出通路（43）が形成されている。そして、吐出孔（45）は、第１吐出通路（42）及び第２吐出通路（43）を介して高圧空間（28）に連通している。
【００４９】
上記可動スクロール（26）の可動側平板部（26a）の背面（26d）中央には、軸受部（34）が設けられ、該軸受部（34）に上記駆動軸（17）の偏心部（18）が嵌入されている。また、上記可動スクロール（26）は、フレーム（24）にオルダムリング（38）を介して連結されている。このオルダムリング（38）は、可動スクロール（26）の自転防止機構を構成している。以上のようにして、可動スクロール（26）は、駆動軸（17）の駆動により該駆動軸（17）に対して偏心して公転するように構成されている。
【００５０】
上記軸受部（34）の溝部（31）の内周面には、環状のシール部材（36）が密着するように配設されている。該溝部（31）は、図示しない通路を介して高圧空間（28）と連通している。これにより、溝部（31）の上記シール部材（36）に囲まれた空間（37b）は、高圧の冷媒ガスで満たされている。
【００５１】
上記可動スクロール（26）の軸受部（34）内には、偏心部（18）と可動側平板部（26a）との間に油室（52）が形成されている。この油室（52）は、上述した給油路（51）と連通しており、給油ポンプ（49）で汲み上げられた冷凍機油で満たされている。
【００５２】
このように、上記可動スクロール（26）には、上記油室（52）の冷凍機油や上記溝部（31）の空間（37b）の高圧冷媒の圧力が作用して、可動スクロール（26）が固定スクロール（22）側に向かって軸方向に押し付られるように構成されている。
【００５３】
上記可動スクロール（26）は、上記可動側平板部（26a）の正面（26c）の外周部に、図１及び図２に示すように、円環状の凹部（72）が形成され、該凹部（72）に円環状のスラストプレート（70）が嵌合されている。そして、可動スクロール（26）は上記スラストプレート（70）を介して固定スクロール（22）の周縁部（22d）に支持されている。つまり、該周縁部（22d）は、固定スクロール（22）と一体形成された支持部材に構成されている。上記スラストプレート（70）は、可動スクロール（26）の荷重を受けて固定スクロール（22）の周縁部（22d）と摺接するように構成されている。
【００５４】
そこで、本発明の特徴として、上記スラストプレート（70）の表面には、ダイヤモンドライクカーボン（以下、ＤＬＣという）のコート層（71）が、上記固定スクロール（22）の周縁部（22d）と摺接するように配置されている。具体的に、上記スラストプレート（70）は、例えば、ビッカース硬度（ＪＩＳ  Ｚ２２４４−１９９８のビッカース硬さ試験による）が５４０で、板厚が０．４５７ｍｍに形成され、表面粗さＲａ（ＪＩＳ Ｂ ０６０１−２００１に規定されている輪郭曲線の算術平均高さＲａ）０．２未満となるように処理された表面に、プラズマＣＶＤ法により製造された水素濃度３０at％程度のＤＬＣのコート層（71）が層厚３μｍで形成されている。なお、上記スラストプレート（70）は、板厚が０．１ｍｍ以上かつ０．６ｍｍ以下であるものが好ましく、硬度がビッカース硬度２４０以上であるものが好ましく、さらにビッカース硬度が４００以上であるものがより好ましい。また、ＤＬＣの製法及び種類、コート層（71）の層厚は例示であって、特に限定されない。
【００５５】
なお、可動スクロール（26）の凹部（72）の深さは、上記スラストプレート（70）の板厚と上記コート層（71）の層厚とを合わせた厚み０．４６ｍｍと同じ大きさとなるように形成されている。これにより、図１及び図２（ｂ）に示すように、可動側ラップ（26b）の先端と固定側平板部（22a）の正面（22c）とが当接し、固定側ラップ（22b）の先端と可動側平板部（26a）の正面（26c）とが当接し合って、ラップ（22b,26b）先端部からの流体の漏れを防止している。
【００５６】
−運転動作−
冷凍装置の冷媒回路では、冷媒が循環して蒸気圧縮式冷凍サイクルが行われる。その際、上記スクロール型圧縮機（1）は、蒸発器から低圧のガス冷媒を吸入して圧縮し、圧縮後の高圧のガス冷媒を凝縮器へ送り出す。
【００５７】
具体的に、上記スクロール型圧縮機（1）では、圧縮機モータ（16）で発生した駆動力は、駆動軸（17）を介して可動スクロール（26）へ伝達される。圧縮機構（15）では、可動スクロール（26）の公転に伴って圧縮室（40）の容積が変化する。その結果、吸入管（19）を通って圧縮室（40）へ吸入された冷媒ガスが圧縮される。そして、この際、スラストプレート（70）は可動スクロール（26）に伴って公転するので、該スラストプレート（70）のＤＬＣのコート層（71）は、固定スクロール（22）の周縁部（22d）と摺動する。圧縮された冷媒ガスは、吐出孔（45）から吐出通路（42,43）を通って高圧空間（28）へ流入し、その後に吐出管（20）を通ってケーシング（10）の外部へ送り出される。
【００５８】
−スラストプレートの評価試験−
次に、上記スクロール型圧縮機（1）のスラストプレート（70）の硬度及び板厚の最適基準を設定するために行った評価試験について説明する。
【００５９】
〈硬度評価試験〉
上述したように、上記スラストプレート（70）に形成されたＤＬＣのコート層（71）は、固定スクロール（22）と摺動するために、スラストプレート（70）とＤＬＣのコート層（71）との結合強度が弱い場合は、この摺動によってＤＬＣのコート層（71）が剥離して欠落してしまう虞がある。そこで、ＤＬＣのコート層（71）と適度な結合強度を有するスラストプレート（70）の硬度の基準を設定するために、硬度評価試験を行った。
【００６０】
本試験は、図３（ａ）に示すリング／ディスク試験片を用いて行った。この試験では、リングが固定スクロール（22）に対応し、ディスクがスラストプレート（70）に対応している。つまり、ディスクには、ＤＬＣのコート層が３μｍで形成されている。
【００６１】
試験条件は、リングを０．５ｍ／ｓの一定速度で回転させ、該リングにその回転軸方向に沿ってディスクを押し付けた。そして、このディスクを押し付ける荷重を、０．１ＭＰａずつ５分毎に段階的に上昇させながら、各荷重におけるリングとディスクとの摺動面における摩擦係数を測定し、摩擦係数が急上昇したときの荷重を、ＤＬＣのコート層が剥離する限界面圧とした。つまり、この限界面圧が大きいほど、ＤＬＣのコート層が剥離しにくいということなので、結合強度が高いと評価する。なお、本試験は、大気中で潤滑油を介在させずに行った。
【００６２】
本試験では、図３（ｂ）に示す４つのサンプルについて比較評価を行った。４つのサンプルでは、リングは、全てＦＣ２５０（ＪＩＳ  Ｇ５５０１−１９９５による）を用いた。一方、ディスクの基材として、サンプルＡでは、ブルネル硬度（ＪＩＳ  Ｚ２２４３−１９９８のブルネル硬さ試験による測定値）が１３０のＳ２５Ｃ（ＪＩＳ  Ｇ４０５１−２００５による）の焼きならしを用い、サンプルＢでは、ブルネル硬度が２３０のＦＣ２５０を用い、サンプルＣがビッカース硬度が４００のＳ４５Ｃ（ＪＩＳ  Ｇ４０５１−２００５による）の焼入れ焼戻しを用い、サンプルＤがＳＫＨ５１（ＪＩＳ Ｇ４４０３−２０００による）の焼入れ焼戻しを用いた。また、上記サンプルＡ及びＢのブルネル硬度は、ビッカース硬度を換算表（ＳＡＥ  Ｊ  ４１７による）により換算すると、それぞれ約１４０及び約２４０となる。つまり、サンプルＡ、Ｂ、Ｃ、Ｄの順にビッカース硬度が低くなっている。
【００６３】
試験結果は、サンプルＡが０．５ＭＰａ、サンプルＢが１．２ＭＰａ、サンプルＣが１．４ＭＰａ、サンプルＤが１．４ＭＰａとなった。これにより、ビッカース硬度が高くなるにつれて、限界面圧が高くなっていることがわかる。また、ブルネル硬度２３０（ビッカース硬度２４０）以上では、限界面圧の上昇は緩やかとなった。このように、スラストプレート（70）のビッカース硬度が高くすることによりコート層（71）との結合強度が徐々に高くなり、特に、ビッカース硬度が２４０以上となると、限界面圧は１．２ＭＰａを超え、適度な結合強度が確保されるということがわかった。また、ビッカース硬度４００以上では、限界面圧１．４ＭＰａとなり、結合強度が非常に強いということがわかった。よって、スラストプレート（70）の硬度基準として、ビッカース硬度２４０以上と設定し、さらに、最適硬度基準として、ビッカース硬度４００以上と設定した。
【００６４】
なお、ディスクの基材には、硬度がブルネル硬度及びビッカース硬度によって表される基材を用いたが、ロックウェル硬度（ＪＩＳ  Ｚ２２４５−１９９８によるロックウェル硬さ試験の測定値）で表されるものであってもよく、その場合は、ビッカース硬度２４０以上に対応するロックウェル硬度が２０以上であるものを用いることが好ましい。
【００６５】
〈板厚評価試験〉
上述したように、上記スラストプレート（70）は、可動スクロール（26）の公転に伴って回転するので、板厚が薄い場合は、可動スクロール（26）の公転に伴う撓みに対応して安定的に回転するが、機械的強度が弱くなるために割れてしまう場合がある。一方、板厚が厚い場合は、機械的強度が強くなるために割れることはないが、可動スクロール（26）の公転に伴う撓みに対応できないために、可動スクロール（26）と歪みが生じて、可動スクロール（26）の回転の信頼性が低下する虞がある。そこで、適度な機械的強度及び可動スクロール（26）の公転に伴う撓みに対応できる適度な柔軟性を有するスラストプレート（70）の板厚の基準を設定するために、板厚評価試験を行った。
【００６６】
具体的に、上記スクロール型圧縮機（1）とほぼ同じ構成であって、図４（ａ）に示すように、スラストプレート（70）の板厚がそれぞれ異なる２つの圧縮機Ａ及びＢを用いて比較評価を行った。上記圧縮機Ａには、板厚０．４５７ｍｍのスラストプレート（70）を用い、上記圧縮機Ｂには、板厚０．６３５ｍｍのスラストプレート（70）を用いた。また、圧縮機Ａ及びＢのスラストプレート（70）は、日立金属株式会社製のＰＫ材（鉄９８％以上、炭素約１％を含む高炭素鋼であって、ビッカース硬度が４８５〜６３０である）から構成され、表面粗さＲａが０．２未満となるように処理され、ＤＬＣのコート層（71）が３μｍの厚みで形成されている。
【００６７】
試験は、上記圧縮機Ａ及びＢを上記スクロール型圧縮機（1）と同じ運転動作で運転させ、冷媒回路の冷媒としてＲ４１０Ａを用い、潤滑油としてエーテル油を用いて行った。また、圧縮機の吸入圧力を１．２ＭＰａ、吐出圧力を４．２ＭＰａ、吐出温度６０〜８０℃とし、駆動軸の回転数２５ｒｐｍで１０分間運転した後１０分間運転を停止し、この運転の発停の繰り返しを計４００時間行った。
【００６８】
図４（ａ）は、本試験の試験結果を示した表である。ここで、圧縮機入力は、従来のＤＬＣのコート層（71）のないスラストプレート（70）を備えた圧縮機の入力に対する入力比を示している。圧縮機入力は、圧縮機Ａ及びＢともに９５％となった。これにより、ＤＬＣのコート層（71）を設けたことにより、スラストプレート（70）と固定スクロール（22）との摺動性が向上して可動スクロール（26）の公転運動が円滑になったことがわかる。
【００６９】
一方、圧縮機Ａにおいては、スラストプレート（70）のＤＬＣのコート層（71）の剥離が確認されなかったが、圧縮機Ｂは部分的に剥離が確認された。図４（ｂ）は、本試験後の圧縮機Ｂのスラストプレート（70）をＤＬＣのコート層（71）側から撮影した拡大写真であるが、ＤＬＣのコート層（71）が部分的に剥離し、スラストプレート（70）の表面が露出していることが確認される。このように、スラストプレート（70）の板厚が０．６ｍｍを超えるとＤＬＣのコート層（71）の剥離が生じるのは、板厚が厚くなることにより可動スクロール（26）の公転運動に伴って柔軟に撓むことができなくなるので、結果的に固定スクロール（22）の周縁部（22d）との摺動が安定しなくなるためであると考えられる。
【００７０】
なお、本試験では、圧縮機Ｂの圧縮機入力は、圧縮機Ａと共に９５％であったが、本試験をさらに長時間継続すれば、スラストプレート（70）のコート層（71）が完全に剥がれると考えられ、その場合は、圧縮機の入力は１００％となって摺動性向上の効果を示さなくなると考えられる。
【００７１】
このように、スラストプレート（70）の板厚は０．６ｍｍ以下であることが好ましい。一方、スラストプレート（70）の板厚は、可動スクロール（26）の回転に耐えうる機械的強度を有している必要があり、そのためには、０．１ｍｍ以上であることが好ましい。以上より、板厚の基準は、０．１ｍｍ以上であり、０．６ｍｍ以下であることが好ましい。
【００７２】
−ＤＬＣの摺動性評価試験−
次に、スラストプレート（70）に形成したＤＬＣのコート層（71）の摺動性の評価試験について説明する。
【００７３】
本試験は、上記硬度評価試験と同様に、図３（ａ）に示すリング／ディスク試験片を用いて行った。この試験においても、リングが固定スクロール（22）に対応してＦＣ２５０からなり、ディスクがスラストプレート（70）に対応している。
【００７４】
試験条件は、リングを１ｍ／ｓの一定速度で回転させ、該リングにその回転軸方向に沿ってディスクを荷重０．９ＭＰａで押し付けた。これにより、図３（ａ）において、リングの上部とディスクの下部とが摺動する。そして、該リングにかかる摩擦トルクから、該リングとディスクとの摺動面における摩擦係数を測定した。なお、本試験は、冷媒Ｒ４１０Ａと潤滑油である出光興産株式会社製のＦＶＣ４６Ｄ（エーテル油）とを６５：３５に混合した雰囲気中で行った。
【００７５】
ディスクには、図５に示すように、サンプルａ、ｂ、ｃの３つのサンプルを用いた。具体的に、サンプルａは、ＦＣ２５０からなるものを用い、サンプルｂが、ＦＣ２５０からなる基材にＤＬＣのコート層を層厚３μｍとなるように形成したものを用い、サンプルｃが、ＳＫＨ５１からなる基材にＤＬＣのコート層を層厚３μｍとなるように形成したものを用いた。つまり、サンプルａは、スラストプレート（70）にＤＬＣのコート層（71）が形成されていない従来のスクロール型圧縮機に対応し、サンプルｂ及びサンプルｃは、スラストプレート（70）にＤＬＣのコート層（71）が形成された本発明のスクロール型圧縮機（1）に対応している。なお、サンプルｂの基材であるＦＣ２５０は、ブルネル硬度が２３０であり、サンプルｃの基材であるＳＫＨ５１は、ビッカース硬度が８００であり、何れもビッカース硬度が２４０以上である。
【００７６】
試験結果は、図５に示すように、サンプルａが０．０６、サンプルｂ及びサンプルｃが０．０３となった。これにより、ＤＬＣのコート層を設けることにより、摺動性が向上することがわかった。
【００７７】
−実施形態１の効果−
上記スクロール型圧縮機（1）は、可動側平板部（26a）の正面（26c）の外周部に設けた凹部（72）にスラストプレート（70）を配置し、該スラストプレート（70）に固定スクロール（22）の周縁部（22d）と摺接するようにコート層（71）を形成したために、スラストプレート（70）とコート層（71）を介して摺接する固定スクロール（22）の周縁部（22d）との摺動性及び耐摩耗性が向上する。これにより、可動スクロール（26）が、スラストプレート（70）を介して固定スクロール（22）の周縁部（22d）に支持されて円滑に公転運動を行うことができるので、機器としての信頼性が向上する。
【００７８】
また、上記スクロール型圧縮機（1）では、可動スクロール（26）が固定スクロール（22）側に向かって押圧されるために、可動スクロール（26）のスラストプレート（70）と固定スクロール（22）とが、厳しい摺動条件で摺動することから、この摺動性及び耐摩耗性がより顕著に向上する。
【００７９】
また、可動側平板部（26a）の表面（26c）に上記凹部（72）を形成したために、該凹部（72）にスラストプレート（70）が嵌合して安定的に支持されるので、可動スクロール（26）の回転中に、スラストプレート（70）の位置がずれることがない。また、この凹部（72）の深さを、スラストプレート（70）の板厚とコート層（71）の層厚とを合わせた厚さである０．４６ｍｍとしているので、ラップ（22b,26b）先端部からの冷媒の漏れを防止することができる。
【００８０】
また、上記スラストプレート（70）は、ビッカース硬度２４０以上であるために、ダイヤモンドライクカーボンからなるコート層（71）を、スラストプレート（70）に確実に密着させることができるので、可動スクロール（26）の公転時に、コート層（71）が剥離して欠落することを防止することができる。
【００８１】
また、上記スラストプレート（70）は、板厚が０．１ｍｍ以上でかつ０．６ｍｍ以下であるために、プレートとしての適度な強度と可動スクロール（26）の公転による撓みに対応できる柔軟性を有しているので、可動スクロール（26）の公転により、スラストプレート（70）が割れることなく安定的に回転することができることから、ダイヤモンドライクカーボンのコート層（71）が剥離して欠落することがない。
【００８２】
−実施形態１の変形例１−
実施形態１の変形例１は、上記実施形態１が可動側平板部（26a）の正面（26c）の外周部に円環状の凹部（72）を形成し、該円環状の凹部（72）に円環状のスラストプレート（70）を設けたことに代わり、図６（ａ）に示すように、可動側平板部（26a）の正面（26c）において、外周部から可動側ラップ（26b）の最外周部近傍に対応する位置に環状のスラストプレート（70）を設け、該スラストプレート（70）にコート層（71）を形成したものである。つまり、実施形態１よりスラストプレート（70）は大きく形成されている。また、可動側平板部（26a）には、該スラストプレート（70）に対応する凹部（72）が形成されている。
【００８３】
このように、スラストプレート（70）をより大きく形成したことにより、スラストプレート（70）が可動スクロール（26）の荷重をより確実に支持することができると共に、固定スクロール（22）の周縁部（22d）と摺接するＤＬＣのコート層（71）の面積も大きくなるので、摺動性及び耐摩耗性がさらに向上する。
【００８４】
その他の構成、作用及び効果は、実施形態１と同じである。
【００８５】
−実施形態１の変形例２−
実施形態１の変形例２は、図６（ｂ）に示すように、可動側平板部（26a）の正面（26c）全体にスラストプレート（70）を設けたものである。つまり、該スラストプレート（70）は、可動側平板部（26a）に対応する円板状に形成される一方、可動側ラップ（26b）を貫通させる渦巻き状の孔部（70a）を備えている。そして、該孔部（70a）に可動側ラップ（26b）を貫通させて可動側平板部（26a）に載置されている。また、本実施形態では、可動側平板部（26a）に、スラストプレート（70）を嵌合させるための凹部（72）が設けられていない。
【００８６】
本実施形態では、上記スラストプレート（70）が、ＤＬＣのコート層（71）を介して固定スクロール（22）の周縁部（22d）に加えて固定側ラップ（22b）の先端とも摺接するので、スラストプレート（70）と固定スクロール（22）の摺動性及び耐摩耗性がさらに向上し、可動スクロール（26）は、より円滑に公転することができる。また、スラストプレート（70）は、孔部（70a）に可動側ラップ（26b）を貫通させることにより、可動側ラップ（26b）に固定されて、可動スクロール（26）の公転運動中に位置がずれることがない。
【００８７】
その他の構成、作用及び効果は、実施形態１と同じである。
【００８８】
−実施形態１の変形例３−
実施形態１の変形例３は、図７に示すように、可動側平板部（26a）には、スラストプレート（70）を設けず、固定スクロール（22）の周縁部（22d）の正面（22f）に環状の凹部（72）を形成し、該凹部（72）にスラストプレート（70）を設けたものである。そして、スラストプレート（70）には、可動側平板部（26a）の正面（26c）と摺接するようにコート層（71）が形成されている。
【００８９】
本実施形態では、スラストプレート（70）とコート層（71）を介して摺接する可動スクロール（26）の可動側平板部（26a）との摺動性及び耐摩耗性が向上する。これにより、上記可動スクロール（26）は、上記スラストプレート（70）を介して固定スクロール（22）に支持されて円滑に公転する。
【００９０】
なお、該凹部（72）及びスラストプレート（70）は、円環状に形成されていてもよいし、周縁部（22d）の正面（22f）全体に形成してもよい。
【００９１】
その他の構成、作用及び効果は、実施形態１と同じである。
【００９２】
−実施形態１の変形例４−
実施形態１の変形例４は、図８に示すように、固定スクロール（22）及び可動スクロール（26）の両方に、スラストプレート（70）を設けたものである。
【００９３】
具体的に、固定スクロール（22）には、実施形態１の変形例３のように、周縁部（22d）にＤＬＣのコート層（71）を備えたスラストプレート（70）が設けられている。一方、可動スクロール（26）には、実施形態１のように、可動側平板部（26a）にＤＬＣのコート層（71）を備えたスラストプレート（70）が設けられている。つまり、各コート層（71）は、各スラストプレート（70）の摺接面に形成され、固定スクロール（22）のスラストプレート（70）と可動スクロール（26）のスラストプレート（70）とは、互いのコート層（71）を介して摺接する。
【００９４】
本実施形態では、コート層（71）同士が摺接するために、可動スクロール（26）は、２つのスラストプレート（70）を介して支持部材（22d,24）に支持されて、さらに円滑に公転することができる。
【００９５】
なお、上記固定スクロール（22）のスラストプレート（70）は、周縁部（22d）の正面（22f）全体に設けてもよい。また、上記可動スクロール（26）のスラストプレート（70）は、実施形態１の変形例１のような環状に形成してもよいし、変形例２のように可動側平板部（26a）の正面（26c）全体に設けてもよい。
【００９６】
その他の構成、作用及び効果は、実施形態１と同じである。
【００９７】
《発明の実施形態２》
本発明の実施形態２は、図９に示すスクロール型圧縮機（1）である。該スクロール型圧縮機（1）は、実施形態１と同様に、冷凍装置の冷媒回路に設けられて、流体であるガス冷媒を圧縮するために用いられる。
【００９８】
図９に示すように、スクロール型圧縮機（1）のケーシング（10）内部には、上方より順に、圧縮機構（15）と圧縮機モータ（16）と下部軸受（39）とが収容されている。上記圧縮機構（15）と圧縮機モータ（16）とは、上下方向に延在する駆動軸（17）で連結されている。また、上記圧縮機構（15）は、その下部にフレーム（24）を備えている。
【００９９】
本実施形態では、上記実施形態１と異なり、ケーシング（10）内の下方が低圧空間（29）となり、上方が高圧空間（28）となる。該低圧空間（29）及び高圧空間（28）は、後述するように、固定スクロール（22）によって区画されている。また、ケーシング（10）の胴部下方には、吸入管（19）が、低圧空間（29）に開口して接合され、ケーシングの胴部上方には、吐出管（20）が、高圧空間（28）に開口して接合されている。
【０１００】
駆動軸（17）は、主軸部（17a）と鍔部（47）と偏心部（18）とを備えている。鍔部（47）は、主軸部（17a）の上端に形成されており、主軸部（17a）よりも大径の円板状に形成されている。一方、偏心部（18）は、鍔部（47）の上面に突設されている。この偏心部（18）は、主軸部（17a）よりも小径の円柱状となっており、その軸心が主軸部（17a）の軸心に対して偏心している。
【０１０１】
駆動軸（17）の主軸部（17a）は、圧縮機構（15）のフレーム（24）を貫通し、ころ軸受（48）を介してフレーム（24）の上部軸受（32）に支持されている。また、駆動軸（17）の鍔部（47）及び偏心部（18）は、フレーム（24）よりも上方に位置している。
【０１０２】
駆動軸（17）には、スライドブッシュ（25）が取り付けられている。スライドブッシュ（25）は、円筒部（21）とバランスウェイト部（27）とを備え、鍔部（47）の上に載置られている。スライドブッシュ（25）の円筒部（21）には、駆動軸（17）の偏心部（18）が軸受メタルで（80）を介して回転自在に挿入されている。
【０１０３】
下部軸受（39）は、ケーシング（10）内の下方に位置している。また、下部軸受（39）は、ボルトによってフレーム（24）に固定されている。そして、下部軸受（39）は、玉軸受（46）を介して駆動軸（17）の主軸部（17a）を支持している。
【０１０４】
圧縮機構（15）は、固定スクロール（22）と可動スクロール（26）とを備えている。
【０１０５】
可動スクロール（26）は、可動側平板部（26a）、可動側ラップ（26b）、及び軸受部（34）を備えている。該軸受部（34）には、スライドブッシュ（25）の円筒部（21）が挿入されている。つまり、可動スクロール（26）は、スライドブッシュ（25）を介して駆動軸（17）の偏心部（18）に係合している。
【０１０６】
可動スクロール（26）は、スラストプレート（70）を介してフレーム（24）の上に載置されている。つまり、上記可動スクロール（26）は、スラストプレート（70）を介してフレーム（24）に支持され、該フレーム（24）は支持部材に構成されている。上記スラストプレート（70）は、円環状に形成されて、フレーム（24）の上面（24a）に形成された円環状の凹部（72）に設けられ、上面が可動側平板部（26a）の背面（26d）に摺接している。
【０１０７】
固定スクロール（22）は、固定側平板部（22a）と、固定側ラップ（22b）と、周縁部（22d）とを備えている。上記固定スクロール（22）は、周縁部（22d）が、固定側平板部（22a）の周縁部分から下方へ向かって延びる壁状に形成され、該周縁部（22d）の下端がフレーム（24）に当接する状態でボルトによってフレーム（24）に固定されている。さらに、上記固定スクロール（22）は、その周縁部（22d）がケーシング（10）と密着することで、ケーシング（10）内を高圧空間（28）と低圧空間（29）とに仕切っている。
【０１０８】
そして、圧縮機構（15）では、上記各平板部（22a,26a）及び各ラップ（22b,26b）との間に圧縮室（40）が区画形成されている。このようにして、可動側平板部（26a）の上方には、圧縮室（40）が形成される一方、可動側平板部（26a）の背面（26d）側は、低圧空間となり、可動スクロール（26）の可動側平板部（26a）には、フレーム（24）側に向かって押し付けられるように構成されている。これにより、可動スクロール（26）は、上記スラストプレート（70）を介してフレーム（24）に支持されて、該スラストプレート（70）の上面と摺接しながら公転運動を行うように構成されている。
【０１０９】
そこで、本発明の特徴として、上記スラストプレート（70）の上面には、可動側平板部（26a）の背面（26d）と摺接するように、ＤＬＣのコート層（71）が形成されている。
【０１１０】
本実施形態では、上記スラストプレート（70）が、ＤＬＣのコート層（71）を介して上記可動側平板部（26a）の背面（26d）と摺接するようにしたために、上記スラストプレート（70）と上記可動側平板部（26a）との摺動性及び耐摩耗性が向上する。これにより、可動スクロール（26）が、スラストプレート（70）を介してフレーム（24）に支持されて円滑に公転動作を行うことができるので、スクロール型圧縮機（1）の機器としての信頼性が向上する。また、本実施形態では、可動スクロール（26）がフレーム（24）側に向かって押圧される圧縮機であるので、この摺動性及び耐摩耗性をより顕著に向上させることができる。
【０１１１】
その他の構成、作用及び効果は、実施形態１と同じである。
【０１１２】
−実施形態２の変形例−
上記実施形態２では、スラストプレート（70）をフレーム（24）の凹部（72）に設けたが、スラストプレート（70）を可動側平板部（26a）の背面（26c）に設け、該スラストプレート（70）にフレーム（24）の上面（24a）と摺接するようにＤＬＣのコート層（71）を形成してもよい。つまり、上記スラストプレート（70）は、可動スクロール（26）と共に公転運動を行う。そして、スラストプレート（70）とコート層（71）を介して摺接するフレーム（24）との摺動性及び耐摩耗性が向上する。これにより、可動スクロール（26）は、可動側平板部（26a）がスラストプレート（70）を介してフレーム（24）に支持されて円滑に公転動作を行うことができることから、機器としての信頼性が向上する。また、本実施形態では、可動スクロール（26）がフレーム（24）側に向かって押圧される圧縮機であるので、この摺動性及び耐摩耗性をより顕著に向上させることができる。
【０１１３】
また、可動側平板部（26a）の背面（26d）及びフレーム（24）の上面（24a）の両方にスラストプレート（70）を設け、各スラストプレート（70）の摺接面にＤＬＣのコート層（71）を形成してもよい。これにより、可動側平板部（26a）が２つのスラストプレート（70）を介してフレーム（24）に支持されて、可動スクロール（26）の公転動作がさらに円滑に行われるので、機器としての信頼性がさらに向上する。
【０１１４】
その他の構成、作用及び効果は、実施形態１と同じである。
【０１１５】
《その他の実施形態》
上記各実施形態は、以下のような構成としてもよい。
【０１１６】
上記各実施形態は、スクロール型圧縮機（1）の構成は、特に限定されず、例えば、圧縮機構（15）と圧縮機モータ（16）とが横方向に延びる駆動軸（17）で連結された横置き型のスクロール型圧縮機であってもよい。さらに、スクロール型流体機械は、上記各実施形態に示すスクロール型圧縮機（1）に限定されず、流体を吸入して膨張してから吐出するスクロール型膨張機であってもよい。
【０１１７】
また、スラストプレート（70）を配置する支持部材（22d,24）及び可動スクロール（26）は鉄系材料から構成されるものに限定されず、アルミニウム合金など鉄以外の金属であってもよい。
【０１１８】
なお、以上の実施形態は、本質的に好ましい例示であって、本発明、その適用物、あるいはその用途の範囲を制限することを意図するものではない。
【産業上の利用可能性】
【０１１９】
以上説明したように、本発明は、スクロール型流体機械について有用である。
【図面の簡単な説明】
【０１２０】
【図１】実施形態１に係るスクロール型圧縮機の縦断面図である。
【図２】（ａ）は、実施形態１に係る可動スクロールの上面視であり、（ｂ）は、実施形態１に係る圧縮機構の要部拡大断面図である。
【図３】（ａ）は、実施形態１に係る硬度評価試験及び摺動性評価試験の方法を示す概略構成図であり、（ｂ）は、実施形態１の硬度評価試験の結果を示す表である。
【図４】（ａ）は、実施形態１に係る板厚評価試験の結果を示す表であり、（ｂ）は、実施形態１に係る板厚評価試験後の圧縮機Ｂのスラストプレートのコート層を備えた面の拡大写真である。
【図５】実施形態１に係る摺動性評価試験の結果を示す表である。
【図６】（ａ）は、実施形態１の変形例１に係る可動スクロールの上面視であり、（ｂ）は、実施形態１の変形例２に係る可動スクロールの上面視である。
【図７】（ａ）は、実施形態１の変形例３に係る固定スクロールの上面視であり、（ｂ）は、実施形態１の変形例３に係る圧縮機構の要部拡大断面図である。
【図８】実施形態１の変形例４に係る圧縮機構の要部拡大断面図である。
【図９】実施形態２に係るスクロール型圧縮機の縦断面図である。
【符号の説明】
【０１２１】
1    スクロール型圧縮機（スクロール型流体機械）
22    固定スクロール
22a   固定側平板部
22b   固定側ラップ
22c   正面
22d   周縁部（支持部材）
22f   正面（表面）
26    可動スクロール
26a   上記可動側平板部
26b   可動側ラップ
26c   正面
26d   背面
24    フレーム（支持部材）
24a   上面(表面)
70    スラストプレート
71    コート層
72    凹部
【図１】
2007218206.tif 000003
【図２】
2007218206.tif 000004
【図３】
2007218206.tif 000005
【図４】
2007218206.tif 000006
【図５】
2007218206.tif 000007
【図６】
2007218206.tif 000008
【図７】
2007218206.tif 000009
【図８】
2007218206.tif 000010
【図９】
2007218206.tif 000011